(57)【要約】      （修正有）【課題】郵便箱の、郵便物や新聞などの物品を取り出すときに開閉する開閉蓋に重量のある素材で作製された装飾部材や機能部材を配設しても、開閉蓋の開閉時に、開閉蓋が開閉蓋の荷重により開閉蓋と本体との接合部分が変形することなく、かつ、人体への危険が無く安全に開閉できるようにする。【解決手段】郵便箱の、郵便物や新聞などの物品を取り出すときに開閉する開閉蓋をスライドレールなどの移動促進器具にて本体と接合し、開閉蓋を水平方向にスライドさせて開閉する。１は、本体、２は、開閉蓋、３は、物品投入口蓋、４は、装飾部材（鉄板製化粧パネル）、５は、機能部材（ステンレス製表札）である。【選択図】図１
0003114463.tif 000002
【実用新案登録請求の範囲】
【請求項１】
郵便物や新聞などの物品を受ける本体と、郵便物や新聞などの物品を投入するとき、または、取り出すときに開閉される開閉蓋とで箱状に構成され、開閉蓋をスライドレールなどの移動促進器具にて本体に接合し、開閉蓋が水平方向に開閉できるようにした郵便箱。
【請求項２】
請求項１に記載の郵便箱の開閉蓋に、化粧パネルなどの装飾部材や表札などの機能部材が配設された郵便箱。
【考案の詳細な説明】
【技術分野】
【０００１】
本考案は、郵便箱に関し、特に郵便物や新聞などの物品を取り出すときに開閉する開閉蓋が厚い鉄板などの重い素材で作製されている場合、あるいは、開閉蓋に配設する化粧パネルなどの装飾部材や表札などの機能部材が厚い鉄板などの重い素材で作製されている場合でも、開閉蓋を開閉するときに開閉蓋の荷重により開閉蓋と本体との接合部分が変形することがないように、また、開閉蓋を開閉するときに開閉蓋が安全に開閉できるようにした郵便箱に関するものである。
【背景技術】
【０００２】
従来の郵便箱の開閉蓋は、開閉蓋の一辺にヒンジ構造を備えて、上下あるいは左右に開く構造のものであった。
【０００３】
郵便箱は殆ど毎日利用され、郵便物や新聞などの物品を取り出すための開閉蓋も毎日のように開け閉めされている。開閉蓋の左辺あるいは右辺にヒンジ構造を備えた左右に開く開閉蓋の場合、開閉蓋を開閉するときに開閉蓋の荷重により開閉蓋と本体とを接合しているヒンジ構造部が変形しないよう、開閉蓋自体を軽量化していた。また、開閉蓋に表札などの機能部材を配設する場合も軽量な素材で作製された機能部材を配設していた。
【０００４】
開閉蓋の上辺にヒンジ構造を備えた上向きに開く開閉蓋の場合、開閉蓋を上向きに開くときの開閉蓋の荷重による手への負荷を軽減するため、また、開閉蓋が開閉蓋の荷重で勢いよく下向きに閉じたときに、開閉蓋と本体の間に指などが挟まれても怪我をしないようにするため、開閉蓋自体を軽量化していた。開閉蓋に表札などの機能部材を配設する場合も、軽量な素材で作製された機能部材を配設していた。
【０００５】
開閉蓋の下辺にヒンジ構造を備えた下向きに開く開閉蓋の場合、開閉蓋を開こうとして開閉蓋が開閉蓋の荷重で勢いよく下向きに開いたときに、開閉蓋が手などにあたっても怪我をしないようにするため、また、開閉蓋を上向きに閉じるときの開閉蓋の荷重による手への負荷を軽減するため、開閉蓋自体を軽量化していた。開閉蓋に表札などの機能部材を配設する場合も、軽量な素材で作製された機能部材を配設していた。
【特許文献１】実公平３−３２２９５号公報
【考案の開示】
【考案が解決しようとする課題】
【０００６】
郵便箱が備えられる玄関先には表札などの機能部材が設置されている。近年、郵便事情の変化におけるメール便サービスや冊子小包サービスの普及などにより郵便箱の大型化が進んでおり、郵便箱や機能部材が別体であるとそれらを玄関先へ設置するのに広いスペースが必要となる。また、郵便箱や機能部材を設置する作業が二度手間となる。そのため、機能部材を郵便箱に組み込んだものが実公平３−３２２９５号公報などに開示されている。
【０００７】
しかし、そのような従来の郵便箱は、開閉蓋と本体との接合部分の変形、また、開閉蓋の開閉時の人体への危険防止のため、アルミ板や薄い鉄板などの軽い素材で作製された軽い開閉蓋が取り付けられていた。また、配設される表札などの機能部材も樹脂などの軽い素材を使用していた。
【０００８】
そこで、本考案は、郵便箱の開閉蓋が厚い鉄板などの重い素材で作製されている場合、あるいは、開閉蓋に配設する化粧パネルなどの装飾部材や表札などの機能部材が厚い鉄板などの重い素材で作製されている場合でも、開閉蓋と本体との接合部分が変形することなく、かつ、開閉蓋が安全に開閉できるようにした郵便箱を提供することを目的とする。
【課題を解決するための手段】
【０００９】
上記目的を達成するための本発明は、郵便物や新聞などの物品を取り出すときに開閉する開閉蓋をスライドレールなどの移動促進器具にて本体と接合し、開閉蓋を水平方向にスライドさせて開閉できるようにした郵便箱である。
【考案の効果】
【００１０】
本考案の郵便箱は、スライドレールなどの移動促進器具にて本体に接合した開閉蓋がかなりの荷重に耐えうる構造になっているので、開閉蓋を開閉するときの開閉蓋の荷重による開閉蓋と本体との接合部分の変形が防止できる。
【００１１】
水平方向にスライドさせて開閉する開閉蓋であり、重力方向に開閉することが無いので開閉蓋の開閉時の手への負荷がかからない。
【００１２】
水平方向にスライドさせて開閉する開閉蓋であり、開閉蓋の荷重で急激に開閉することが無いので、開閉蓋と本体の間に手をはさまれて怪我をしたりすること無く安全に開閉蓋を開閉できる。
【考案を実施するための最良の形態】
【００１３】
以下、本考案の具体的な実施形態を説明する。本実施形態の郵便ポストは図１〜図５に示すように、郵便物を受ける本体１と開閉蓋２とで箱状に構成されている。
【００１４】
箱状に構成された郵便箱の前面部と上面部が開閉蓋２となっており、その上面部には図６に示すように郵便物や新聞などの物品を投入する物品投入口７が設けられ、また、その物品投入口７から雨などが進入しないようにするために物品投入口蓋３が配設されている。開閉蓋２の前面部には鉄板製化粧パネル４、さらにその鉄板製化粧パネル４の上にはステンレス製表札５が配設されている。
【００１５】
図3、図6に示すように、本実施形態の郵便ポストは、本体１背面上部分と開閉蓋２上面折り返し部分、本体１底面前部分と開閉蓋２前面折り返し部分とをスライドレール６で接合し、開閉蓋２を左水平方向にスライドさせることで開閉蓋２が開くようにしてある。スライドレール６は耐食性に優れたステンレス製のものを使用している。
【００１６】
本実施形態では、スライドレール６自体の対荷重が２２５Ｎになっており、図２に示すように開閉蓋２を開いたままの状態にしていても、化粧パネル４や表札５が配設された開閉蓋２の荷重が約４Ｎであるので、スライドレール６が開閉蓋２の荷重で変形することはない。また、開閉蓋２が水平方向に開閉でされるので、少ない力で安全に開閉蓋２が開閉できる。
【図面の簡単な説明】
【００１７】
【図１】郵便箱の郵便物を取り出す開閉蓋を開いた状態での正面斜視図である。
【図２】本考案の具体的実施例の郵便箱正面斜視図である。
【図３】郵便箱の郵便物を取り出す開閉蓋を開いた状態での背面斜視図である。
【図４】本考案の具体的実施例の郵便箱正面図である。
【図５】本考案の具体的実施例の郵便箱右側面図である。
【図６】図４の郵便箱のＡ−Ａ断面図である。
【符号の説明】
【００１８】
１  本体
２  開閉蓋
３  物品投入口蓋
４  装飾部材（鉄板製化粧パネル）
５  機能部材（ステンレス製表札）
６  移動促進器具（スライドレール）
７  物品投入口
【図１】
0003114463.tif 000003
【図２】
0003114463.tif 000004
【図３】
0003114463.tif 000005
【図４】
0003114463.tif 000006
【図５】
0003114463.tif 000007
【図６】
0003114463.tif 000008